(57)【要約】      （修正有）【課題】ペットボトルに加工を施すことなく、そのまま利用することができ、しかも小型でだれでも簡単に使用することができる太陽熱温水器を提供する。【解決手段】水を入れたペットボトルＰを本体３の凹部７に収容し、蓋体１９を本体３に被せて閉じる。そして、太陽熱温水器１を日当たりの良い場所に設置する。太陽光は透明プラスチックによって構成された蓋体１９を透過して、ペットボトルＰ内の水に当たる。本体３に内面には鏡面加工が施されているので、太陽光が反射する。これによりペットボトルＰ内の水に太陽光を効率よく当てることができる。本体３に蓋体１９を装着しているので、本体３の内部はほぼ密閉された状態となる。従って、太陽光によって本体３内において生じた熱が外部へ逃げるのを最小限に抑えることが可能となる。よって、ペットボトルＰ内の水を短時間で温めることができる。【選択図】図１
0003173034.tif 000002
【実用新案登録請求の範囲】
【請求項１】
上面に開口を有し、内面が太陽光を反射する加工が施された箱状の本体と、前記本体の内面に形成されペットボトルを収容する凹部と、前記本体に被せられ開上面の開口を覆う太陽光を透過する材料によって構成された蓋体とから成ることを特徴とする太陽熱温水器。
【請求項２】
請求項１に記載した太陽熱温水器において、本体を傾斜姿勢に支持する脚部が備えられていることを特徴とする太陽熱温水器。
【請求項３】
請求項１または２に記載された太陽熱温水器において、箱状の本体の前板には切欠きが形成され、前記切欠きは前記前板の上縁に開口を有するガイド部と、前記ガイド部に連続して形成され、ペットボトルの首部が嵌り込む嵌り込み部とから構成されていることを特徴とする太陽熱温水器。
【請求項４】
請求項３に記載した太陽熱温水器において、蓋体は切欠きのガイド部を閉鎖するものであることを特徴とする太陽熱温水器。
【考案の詳細な説明】
【技術分野】
【０００１】
本考案は太陽熱温水器に係り、特にペットボトルを利用することができる太陽熱温水器に関するものである。
【背景技術】
【０００２】
近年、エコロジーに対する認識が急速に高まり、これに伴いペットボトル等のリサイクルに関心が集まっている。更に、社会事情の急激な変化により自然エネルギーを利用するという意識も急速に高まっている。
例えば特許文献１に示された太陽熱温水器は、ペットボトルを構成部品としており、上記の社会的要請に応えるものである。
【先行技術文献】
【特許文献】
【０００３】
【特許文献１】特開２００４−２６４００９号公報
【考案の概要】
【考案が解決しようとする課題】
【０００４】
しかしながら、上記従来の太陽熱温水器はペットボトルの頭部と底部を切断する等の加工を施し、いわばペットボトルを部品として利用するものあり、加工の手間を考えると、その利用には限界がある。
また、従来の太陽熱温水器はかなり大型であり、だれもが簡単に使用することができるものではない。
本考案は上記従来の問題点に着目して為されたものであり、ペットボトルに加工を施すことなく、そのまま利用することができ、しかも小型でだれでも簡単に使用することができる太陽熱温水器の提供を、その目的とする。
【課題を解決するための手段】
【０００５】
本考案は上記課題を解決するためになされたものであり、請求項１の考案は、上面に開口を有し、内面が太陽光を反射する加工が施された箱状の本体と、前記本体の内面に形成されペットボトルを収容する凹部と、前記本体に被せられ開上面の開口を覆う太陽光を透過する材料によって構成された蓋体とから成ることを特徴とする太陽熱温水器である。
【０００６】
請求項２の考案は、請求項１に記載した太陽熱温水器において、本体を傾斜姿勢に支持する脚部が備えられていることを特徴とする太陽熱温水器である。
【０００７】
請求項３の考案は、請求項１または２に記載された太陽熱温水器において、箱状の本体の前板には切欠きが形成され、前記切欠きは前記前板の上縁に開口を有するガイド部と、前記ガイド部に連続して形成され、ペットボトルの首部が嵌り込む嵌り込み部とから構成されていることを特徴とする太陽熱温水器である。
【０００８】
請求項４の考案は、請求項３に記載した太陽熱温水器において、蓋体は切欠きのガイド部を閉鎖するものであることを特徴とする太陽熱温水器である。
【考案の効果】
【０００９】
本考案の太陽熱温水器では、ペットボトルに加工を施すことなく、そのまま利用することができ、しかも小型でだれでも簡単に使用することが可能ある。
【図面の簡単な説明】
【００１０】
【図１】本考案の実施の形態に係る太陽熱温水器の蓋体を開けた状態の斜視図である。
【図２】図１の太陽熱温水器の本体にペットボトルを収容し蓋体を閉じた状態の斜視図である。
【図３】図１の太陽熱温水器の平面図である。
【図４】図１の太陽熱温水器からペットボトルを取り出してシャワーに利用する状態を示す図である。
【考案を実施するための形態】
【００１１】
本考案の実施の形態に係る太陽熱温水器１を図面にしたがって説明する。
符号３は本体を示し、この本体３は上面に開口５を有する箱状に形成されている。本体３の内面はペットボトルＰの径方向のほぼ半分はぴったり嵌る形状の凹部７が形成されている。この凹部７の内面を含めて本体３の内面は太陽光を反射する加工が施されている。この太陽光を反射する加工は反射面を形成する塗料の塗布、金属の蒸着等によって行う。
【００１２】
本体３の上端部分には段部９が形成されており、この段部９より上側に蓋体被嵌合部１１が形成されている。
本体３の前板１３には切欠き１５が形成されており、この切欠き１５は前板１３の上縁に開口を有するガイド部１５ａと、このガイド部１５ａに連続して形成される嵌り込み部１５ｂとから構成されている。ガイド部１５ａは上端部から下方へいくに従って幅寸法が徐々に寸法が小さくなるように形成され、嵌り込み部１５ｂはペットボトルＰの首部Ｐａの径方向のほぼ半分が嵌る形状、サイズに形成されている。ガイド部１５ａは蓋体被嵌合部１１に備えられ、嵌り込み部１５ｂは蓋体被嵌合部１１より下側に備えられている。
【００１３】
本体３の下面には凹部（図示せず）が形成され、この凹部には脚部１７が備えられている。脚部１７は軸２０によって本体３の両側板２１に回動自在に支持されている。脚部１７は本体３の下面から突出する姿勢と下面の凹部に収容される姿勢とに動作することができる。
【００１４】
符号１９は蓋体を示し、この蓋体１９は透明プラスチックによって構成されており、太陽光を透過するようになっている。蓋体１９は下面が開口する浅い箱状に形成されており、蓋体１９を本体３に被せると、下端部が本体３の段部９に当接する形状、サイズに製作されている。また、蓋体１９の前板には切欠き２３が形成されている。
【００１５】
次にこの太陽熱温水器１の使用方法について説明する。
まず、ペットボトルＰに水Ｗを入れてキャップＣを水漏れしないように締めてから、ペットボトルＰを本体３の凹部７に収容する。この際、ペットボトルＰの首部Ｐａは切欠き１５のガイド部１５ａに沿って下降して、首部Ｐａは嵌り込み部１５ｂに嵌り込んで保持される。しかも凹部７はペットボトルＰの径方向のほぼ半分がぴったり嵌る形状に形成されているので、ペットボトルＰは凹部７に嵌り込み、ペットボトルＰを安定した状態で本体３に収容することができる。
蓋体１９を本体３に被せて、蓋体１９の下端部を段部９に当接させる。この状態では蓋体１９は上面の開口５を覆い、且つ蓋体被嵌合部１１に嵌合する。更に蓋体１９は切欠き１５のガイド部１５ａを覆う。また、蓋体１９の切欠き２３はペットボトルＰの首部Ｐａの径方向の上端部に嵌る。
【００１６】
次いで、太陽熱温水器１を日当たりの良い場所に設置する。この際、必要な場合は軸２０を支点として脚部１７を回動させて、本体３の下面から突出する姿勢とする。そして、脚部１７を設置面に当接させて、本体３をペットボトルＰに太陽光が当たり易い角度で備える。
太陽光は透明プラスチックによって構成された蓋体１９を透過して、ペットボトルＰ内の水Ｗに当たる。前述のように本体３の内面には太陽光を反射する加工が施されているので、太陽光が例えば矢印で示すように色々な方向へ反射する。これによりペットボトルＰ内の水Ｗに太陽光を効率よく当てることができる。
【００１７】
また、上述のように本体３の開口５は蓋体１９によって閉鎖されており、しかも切欠き１５のガイド部１５ａを覆う。このように、本体３に蓋体１９を装着すれば、本体３の内部はほぼ密閉された状態となる。従って、太陽光によって本体３内において生じた熱が外部へ逃げるのを最小限に抑えることが可能となる。従って、ペットボトルＰ内の水Ｗを短時間で温めることができる。
例えば、１．５リットルのペットボトルＰに水Ｗを満たして、これを太陽熱温水器１に収容して、気温３３℃の屋外に置いた場合、約２時間でペットボトルＰ内の水が６０℃になった。
このように太陽熱を利用して水Ｗを加温できるので、節電に役立つことになる。
【００１８】
図４に示すようにペットボトルＰのキャップＣをシャワー用のキャップＣｓに交換して、ペットボトルＰを下向きに持てば、シャワー用のキャップＣｓの小穴から温水が放出されて簡易的なシャワーとして用いることが可能である。
このように簡易的なシャワーとしての使用は、キャンプや海水浴において好適である。また、震災等において風呂が使用できない場合などに、このような簡易的なシャワーは有効である。
【００１９】
以上、本考案の実施の形態について詳述してきたが、具体的構成は、この実施の形態に限られるものではなく、本考案の要旨を逸脱しない範囲における設計の変更などがあっても考案に含まれる。
例えば、脚部１７を備えない構成としてもよい。また、切欠き１５を設けず、キャップＣを含めたペットボトルＰ全体が本体３に収容される構成としてもよい。
【産業上の利用可能性】
【００２０】
本考案の太陽熱温水器は、太陽熱温水器製造業において産業上の利用可能性を有する。
【符号の説明】
【００２１】
１…太陽熱温水器                  ３…箱状の本体
５…本体の上面の開口              ７…本体の凹部
９…本体の段部                  １１…本体の蓋体被嵌合部
１３…前板                        １５…切欠き
１５ａ…ガイド部                  １５ｂ…嵌り込み部
１７…脚部                        １９…蓋体
２０…軸                          ２１…両側板
Ｐ…ペットボトル                  Ｃ…キャップ
Ｃｓ…シャワー用キャップ          Ｐａ…ペットボトルの首部
Ｗ…水
【図１】
0003173034.tif 000003
【図２】
0003173034.tif 000004
【図３】
0003173034.tif 000005
【図４】
0003173034.tif 000006